(57)【要約】【課題】自由形状のレンズ面を払拭し、ヘッドライトに積もった雪を取り除くヘッドライト用ワイパーを提供する。【解決手段】このヘッドライト用ワイパーは、バンパー内部にワイパー収容スペース１２が設けられ、ワイパー収容スペース１２から垂直方向に伸長する支柱２１を備え、支柱２１の先端に第１アクチュエーター２３を介してアーム２２が取り付けられ、さらに、アーム２２に第２アクチュエーター２５を介してワイパーブレード２４が取り付けられている。折り畳み式のヘッドライト用ワイパーを展開すると、ワイパーゴム２６がヘッドライト１１のレンズ面に当接し、第２アクチュエーター２５が駆動する。【選択図】図３
2015101235.tif 000002
【特許請求の範囲】
【請求項１】
支柱と、
ワイパーゴムを保持する第１ワイパーブレードと、
前記第１ワイパーブレードと前記支柱との間を回動自在に連結する複数の連結部と、
を具備し、
前記複数の連結部のうち少なくともいずれか一つは、所定の角度内で往復して回動する駆動部を有する、
ヘッドライト用ワイパー。
【請求項２】
前記連結部は、アクチュエーターである、
請求項１に記載のヘッドライト用ワイパー。
【請求項３】
前記支柱は、伸縮構造を有し、垂直方向に伸縮する、
請求項１に記載のヘッドライト用ワイパー。
【請求項４】
前記支柱及び前記第１ワイパーブレードを収容する収容スペースをさらに具備する、
請求項３に記載のヘッドライト用ワイパー。
【請求項５】
前記収容スペースの開口部にヒーターをさらに具備する、
請求項４に記載のヘッドライト用ワイパー。
【請求項６】
液体を噴射するウォッシャーをさらに具備する、
請求項１に記載のヘッドライト用ワイパー。
【請求項７】
前記複数の連結部の間にアームをさらに備え、
前記アームは、第２ワイパーブレードである、
請求項１に記載のヘッドライト用ワイパー。
【請求項８】
前記支柱の中心軸を回転軸として、前記支柱を所定の角度内で往復して回動させる第２駆動部をさらに具備する、
請求項１に記載のヘッドライト用ワイパー。
【発明の詳細な説明】
【技術分野】
【０００１】
本発明は、折り畳んで収納可能なヘッドライト用ワイパーに関する。
【背景技術】
【０００２】
近年、ヘッドライトの光源として、ＬＥＤ（Light Emitting Diode）及びＨＩＤ(High Intensity Discharge lamp)などが普及しつつある。従来、主に用いられてきたハロゲンランプは赤外放射が多かったのに対し、ＬＥＤ及びＨＩＤは赤外放射（熱放射）が少ないことが知られている。
【０００３】
このため、ＬＥＤ及びＨＩＤでは、降雪時にヘッドライトに積もった雪を融解しにくく、この積雪によってヘッドライトの光量が減少し、安全な走行が困難となってしまう。ドライバーは、これを回避するため、車両を停止させ、手または道具を用いてヘッドライトに積もった雪を物理的に除去する必要があった。
【０００４】
そこで、このようなドライバーの負担を軽減するため、ヘッドライト用ワイパーが知られている（例えば、特許文献１及び特許文献２参照）。
【０００５】
特許文献１には、ヘッドライトのレンズ前面を払拭し、非作動時に格納するヘッドライト用ワイパーが開示されている。また、特許文献２には、ワイパーブレードがヘッドライトのレンズ面に沿って旋回可能な待機位置から、待機位置とは異なる休止位置に移動し、休止位置でワイパーを収容し、待機位置でワイパーを旋回可能に開放するヘッドライト用ワイパーが開示されている。
【先行技術文献】
【特許文献】
【０００６】
【特許文献１】実開昭６３−１５９３６８号公報
【特許文献２】特開平５−１９３４５６号公報
【発明の概要】
【発明が解決しようとする課題】
【０００７】
しかしながら、上述した特許文献１及び特許文献２に開示のヘッドライト用ワイパーは、ヘッドライトのレンズ面が角張った方形状であることを前提としており、近年、普及しつつある丸みを帯びた流線型の自由形状を有するレンズ面には適用できないという問題がある。
【０００８】
本発明の目的は、自由形状のレンズ面を払拭し、ヘッドライトに積もった雪を取り除くヘッドライト用ワイパーを提供することである。
【課題を解決するための手段】
【０００９】
本発明のヘッドライト用ワイパーは、支柱と、ワイパーゴムを保持する第１ワイパーブレードと、前記第１ワイパーブレードと前記支柱との間を回動自在に連結する複数の連結部と、を具備し、前記複数の連結部のうち少なくともいずれか一つは、所定の角度内で往復して回動する駆動部を有する構成を採る。
【発明の効果】
【００１０】
本発明によれば、自由形状のレンズ面を払拭し、ヘッドライトに積もった雪を取り除くことができる。
【図面の簡単な説明】
【００１１】
【図１】本発明の実施の形態１に係るヘッドライト用ワイパーが収容された状態のヘッドライト周辺の様子を示す図
【図２】ヘッドライト用ワイパーの展開途中の様子を示す図
【図３】ヘッドライト用ワイパーを展開した様子を示す図
【図４】ヘッドライト用ワイパーが駆動している様子を示す図
【図５】本発明の実施の形態２に係るヘッドライト用ワイパーの構成を示す図
【発明を実施するための形態】
【００１２】
以下、本発明の実施の形態について、図面を参照して詳細に説明する。
【００１３】
（実施の形態１）
図１は、本発明の実施の形態１に係るヘッドライト用ワイパー１０が収容された状態のヘッドライト周辺の様子を示す図である。なお、図１では、車両の左側ヘッドライトのみを示しているが、右側ヘッドライト周辺も図１と同様の構成である。
【００１４】
図１において、ヘッドライト１１は、丸みを帯びた流線型の自由形状を有するレンズ面を備えている。また、ヘッドライト１１前部下方のバンパー内部にワイパー収容スペース１２が設けられており、ワイパー収容スペース１２に折り畳み式のヘッドライト用ワイパー１０が収容される。
【００１５】
また、ワイパー収容スペース１２上部には、開閉自在に蓋１３が設けられており、ワイパー収容スペース１２への水、埃等の侵入を防止している。蓋１３は、ヘッドライト用ワイパー１０収容時には閉じられ、ヘッドライト用ワイパー１０展開時には開放される。なお、蓋１３は、車両側に接続部（ヒンジ）を有し、車両の進行方向に向けて開くようにする。これにより、蓋１３が開いた状態での空気抵抗を抑制することができる。
【００１６】
図２は、ヘッドライト用ワイパー１０の展開途中の様子を示す図である。図２（ａ）は、展開途中のヘッドライト用ワイパー１０を正面から見た図であり、図２（ｂ）は、展開途中のヘッドライト用ワイパー１０を横方向から見た図である。ヘッドライト用ワイパー１０は、伸縮可能な支柱２１とアーム２２とが第１アクチュエーター２３（連結部に相当）によって回動自在に連結されており、アーム２２とワイパーブレード２４とが第２アクチュエーター２５（連結部に相当）によって回動自在に連結されている。
【００１７】
支柱２１は、伸縮構造を有しており、中空の相似形の円柱を用い、大きい円柱に小さい円柱を内蔵している。ワイパーブレード２４は、自由形状を有するレンズ面と同様に湾曲しており、湾曲した形状に沿ってワイパーゴム２６を保持している。
【００１８】
図３は、ヘッドライト用ワイパー１０を展開した様子を示す図である。ワイパー収容スペース１２の底部にモーター２７が取り付けられ、モーター２７の駆動が、支柱２１を構成する円柱内部に設けられたギアに伝達されることによって支柱２１が垂直方向に伸縮する。支柱２１先端には、第１アクチュエーター２３を介してアーム２２が取り付けられている。
【００１９】
図４は、ヘッドライト用ワイパー１０が駆動している様子を示す図である。図４（ａ）は、駆動中のヘッドライト用ワイパー１０を正面から見た図であり、図４（ｂ）は、駆動中のヘッドライト用ワイパー１０を横方向から見た図である。
【００２０】
ヘッドライト用ワイパー１０を展開すると、ワイパーゴム２６自由形状を有するレンズ面に当接する。この状態で第２アクチュエーター２５が駆動すると、第２アクチュエーター２５が所定の角度内で往復して回動し、ワイパーゴム２６がレンズ面を上下に摺動し、レンズに積もった雪及びレンズの汚れなどを除去することができる。
【００２１】
このように、実施の形態１のヘッドライト用ワイパー１０は、バンパー内部にワイパー収容スペースが設けられ、ワイパー収容スペースから垂直方向に伸長する支柱を備え、支柱の先端に第１アクチュエーター２３を介してアーム２２が取り付けられ、さらに、アーム２２に第２アクチュエーター２５を介してワイパーブレード２４が取り付けられている。折り畳み式のヘッドライト用ワイパー１０を展開すると、ワイパーゴム２６がヘッドライト１１のレンズ面に当接し、第２アクチュエーター２５が駆動する。これにより、第２アクチュエーター２５を中心にワイパーゴム２６がレンズ面を上下に摺動し、ヘッドライト１１に積もった雪を除去することができる。
【００２２】
（実施の形態２）
実施の形態１では、支柱の先端にアーム及び第１アクチュエーターを介してワイパーブレードを取り付けた場合について説明したが、本発明の実施の形態２では、実施の形態１のアームをワイパーブレードに置き換えた場合について説明する。
【００２３】
図５は、本発明の実施の形態２に係るヘッドライト用ワイパー３０の構成を示す図である。図５（ａ）は、ヘッドライト用ワイパー３０の展開途中の様子を示し、図５（ｂ）は、ヘッドライト用ワイパー３０を展開した様子を示す。
【００２４】
ヘッドライト用ワイパー３０は、第１ワイパーブレード２４と第２ワイパーブレード３１とが第１アクチュエーター２３によって回動自在に連結されている。さらに、第２ワイパーブレード３１と、伸縮可能な支柱２１とが第１アクチュエーター２３によって回動自在に連結されている。第２ワイパーブレード３１は、自由形状を有するレンズ面と同様に湾曲しており、湾曲した形状に沿って第２ワイパーゴム３２を保持している。
【００２５】
ヘッドライト用ワイパー３０を展開すると、第１ワイパーゴム２６及び第２ワイパーゴム３２がレンズ面に当接し、この状態で第１アクチュエーター２３が駆動すると、第１アクチュエーター２３が所定の角度内で往復して回動し、第１ワイパーゴム２６及び第２ワイパーゴム３２がレンズ面を上下に摺動し、レンズに積もった雪などを除去することができる。
【００２６】
このように、実施の形態２のヘッドライト用ワイパー３０は、支柱２１と２つのワイパーブレード２４、３１が２つのアクチュエーター２５、２３で連結される。これにより、ワイパーブレード全体を長くすることができ、また、ワイパーブレード全体として柔軟性を備え、自由形状を有するレンズ面にワイパーゴムをよりフィットさせることができる。
【００２７】
なお、本実施の形態では、第１アクチュエーター２３のみが駆動するものとして説明したが、第１アクチュエーター２３及び第２アクチュエーター２５が駆動してもよい。
【００２８】
以上、実施の形態について説明した。
【００２９】
なお、上記各実施の形態では、連結部（アクチュエーター）を２つ備える場合について説明したが、本発明はこれに限らず、３つ以上の連結部を備えてもよい。
【００３０】
また、上記各実施の形態において、雪を融解する液体を噴射するヘッドライト用のウォッシャーを設けてもよい。これにより、ヘッドライトに積もった雪などをより早く除去することができる。
【００３１】
また、上記各実施の形態において、ワイパー収容スペースの開口部付近にヒーターを設けてもよい。これにより、蓋が凍結によって開かない場合には、ヒーターを発熱させて凍結を解除し、蓋を開くことができるようになる。
【００３２】
また、上記各実施の形態において、支柱の中心軸を回転軸として、支柱を所定の角度内で往復して回動させるようにしてもよい。
【００３３】
また、上記各実施の形態において、連結部の全てにアクチュエーターを用いた場合について説明したが、必ずしも、全ての連結部にアクチュエーターを用いる必要はなく、例えば、ワイパーの駆動を行わない連結部に弾性体などを用いた簡易な構成としてもよい。
【産業上の利用可能性】
【００３４】
本発明にかかるヘッドライト用ワイパーは、丸みを帯びた流線型の自由形状からなるレンズ面を有するヘッドライトに適用できる。
【符号の説明】
【００３５】
１０、３０  ヘッドライト用ワイパー
１１  ヘッドライト
１２  ワイパー収容スペース
１３  蓋
２１  支柱
２２  アーム
２３  第１アクチュエーター
２４  （第１）ワイパーブレード
２５  第２アクチュエーター
２６  （第１）ワイパーゴム
２７  モーター
３１  第２ワイパーブレード
３２  第２ワイパーゴム
【図１】
2015101235.tif 000003
【図２】
2015101235.tif 000004
【図３】
2015101235.tif 000005
【図４】
2015101235.tif 000006
【図５】
2015101235.tif 000007